(57)【要約】      （修正有）【課題】構成が簡単で、操作が便利であり、メガネの表面の汚れが洗浄綿により洗浄されることができ、且つ洗浄した後に自動的に風で乾かされ、洗浄効率が高く、使用者の視線に影響を与えなく、安全性を向上させた自動洗浄機能を有する安全防護メガネを提供する。【解決手段】メガネ１０を含み、メガネ１０の上端面には固定ブロック１１が固定的に設置され、固定ブロック１１の中には左右対称の開き溝１２が設置され、開き溝１２の中には回転ロッド１３により洗浄ロッド１４が回転できるように連結され、前記開き溝１２の後端壁の中には回転装置が設置され、回転装置はそれぞれ両側の前記回転ロッド１３と動力が伝達できるように連結され、洗浄ロッド１４の後端面には洗浄綿が固定的に設置され、左右両側の開き溝１２の上側にはスライド溝により水チャンバ１６が連通するように設置されている。【選択図】図１
2020181180.tif 000002
【特許請求の範囲】
【請求項１】
正面視で、メガネを含み、前記メガネの上端面には固定ブロックが固定的に設置され、前記固定ブロックの中には左右対称の開き溝が設置され、前記開き溝の中には回転ロッドにより洗浄ロッドが回転できるように連結され、前記開き溝の後端壁の中には回転装置が設置され、前記回転装置はそれぞれ両側の前記回転ロッドと動力が伝達できるように連結され、前記洗浄ロッドの後端面には洗浄綿が固定的に設置され、左右両側の前記開き溝の上側にはスライド溝により水チャンバが連通するように設置され、前記スライド溝の右端が外部空間に連通しており、前記スライド溝と二つの前記開き溝との間及び前記スライド溝と前記水チャンバとの間にはそれぞれ十八個の水溝が連通するように設置され、前記スライド溝の中にはスライドロッドがスライドできるように設置され、前記スライドロッドには前記水溝と連通できる十八個の連通溝が設置され、前記スライドロッドの左端と前記スライド溝の内壁との間にはねじりばねが固定的に設置され、前記水チャンバの左端壁の中には前記水チャンバを密封できる密封栓がスライドできるように設置され、前記メガネの左右両端には連結ブロックが固定的に設置され、前記連結ブロックの中には空き溝が設置され、前記空き溝の中には回転軸により回転ブロックが回転できるように設置され、前記回転ブロックと前記空き溝との間には回転ばねが固定的に設置され、前記回転ブロックの中には風口が設置され、前記風口の中にはフィルターが固定的に設置され、前記空き溝の後端壁の中には外部空間に連通している風チャンバが連通するように設置され、前記回転軸の後端が前記風チャンバの内端壁と回転できるように連結され、前記回転軸の中には前記風口に連通している通しチャンバが設置され、前記風チャンバの中には前記回転装置と動力が伝達できるように連結された固定軸が回転できるように設置され、前記固定軸にはファン羽根が固定的に設置され、前記風チャンバのうち前記メガネに近接している端壁の中には回転溝が連通するように設置され、前記回転溝の中にはギヤ回転軸により前記回転軸と噛み合うことができる二分の一の歯の回転ギヤが回転できるように設置され、前記ギヤ回転軸と前記固定軸との間はベルトにより動力が伝達できるように連結され、前記連結ブロックの後端壁の間にはメガネひもが固定的に設置され、前記水チャンバの中の水を前記洗浄綿に押し出すことができ、前記洗浄綿が回転すればメガネを洗浄でき、前記ファン羽根が生じた風力によりメガネの乾燥を行うことを特徴とする自動洗浄機能を有する安全防護メガネ。
【請求項２】
前記回転装置は前記開き溝に連通している連通チャンバを含み、右側の前記回転ロッドの後端が前記連通チャンバの中に伸びており、且つ右側の前記回転ロッドの後端には前記連通チャンバの中に回転できるように設置されたスパーギヤが固定的に設置され、前記スパーギヤの左端には噛み合いギヤが噛み合うように連結され、前記噛み合いギヤが左側の前記回転ロッドと固定的に連結され、前記回転ロッドの後端壁の中には駆動装置が設置され、前記駆動装置が左側の前記回転ロッドとスプラインにより連結され、前記洗浄ロッドが同期的に、且つ逆方向へ回転でき、更に前記メガネを洗浄することを特徴とする請求項１に記載の自動洗浄機能を有する安全防護メガネ。
【請求項３】
前記駆動装置は前記連通チャンバに連通している移動チャンバを含み、前記移動チャンバの中には移動ブロックがスライドできるように設置され、前記移動ブロックの前後端と前記移動チャンバとの間にはそれぞれ圧縮ばねが固定的に設置され、前記移動ブロックの中にはモーターが固定的に設置され、前記モーターにはスプライン軸が前後対称的に、且つ動力が伝達できるように連結され、前記移動チャンバの後端壁の中には前記スプライン軸とスプラインにより連結されることができる回転輪が回転できるように設置され、前記回転輪と左右両側の前記固定軸との間はそれぞれタイミングベルトにより動力が伝達できるように連結され、前記スプライン軸の下端が前記噛み合いギヤとスプラインにより連結されることができ、前記移動チャンバの上側と外部空間との間には回し溝が連通するように設置され、前記移動ブロックの上端面には上端が前記回し溝の中に伸びている回しロッドが固定的に設置され、前記回し溝の中の前後端壁には前記回しロッドと磁力により互いに吸引しあう磁石が固定的に設置され、前記移動ブロックが前後に移動し、これにより前記モーターが前記洗浄ロッドを駆動して回転させることにより前記メガネを洗浄し、且つモーターが前記ファン羽根を駆動して回転させることにより風力で前記メガネを乾燥することを特徴とする請求項２に記載の自動洗浄機能を有する安全防護メガネ。
【発明の詳細な説明】
【技術分野】
【０００１】
本発明は労働保護用品技術分野を取り上げて、具体的には自動洗浄機能を有する安全防護メガネである。
【背景技術】
【０００２】
現在の安全防護メガネは目を保護する安全作用しか有しなく、メガネの表面に汚れや他の物がついて視線を遮る時、又は目を曇らせる時、不安全な事故を起こす可能性があり、一般的に使用者はメガネの表面を直接に擦り洗って又はメガネを取り外して洗浄を行い、このような方法は操作が不便であり、きれいに擦り洗えないことだけではなく、水とふきんなどの補助道具が必要であり、擦り洗った後に水滴が残り、短時間のうちに使用に影響を与え、時間も力もかなりかかる。
そのため、従来技術における安全防護メガネを更に改善する必要があり、これによりメガネの洗浄効率を向上させる。
【先行技術文献】
【特許文献】
【０００３】
【特許文献１】中国特許出願公開第１０３００６３７５号明細書
【発明の概要】
【発明が解決しようとする課題】
【０００４】
本発明は自動洗浄機能を有する安全防護メガネを提供し、従来技術における上記欠点を解消することを目的とする。
【課題を解決するための手段】
【０００５】
本発明の自動洗浄機能を有する安全防護メガネは、メガネを含み、前記メガネの上端面には固定ブロックが固定的に設置され、前記固定ブロックの中には左右対称の開き溝が設置され、前記開き溝の中には回転ロッドにより洗浄ロッドが回転できるように連結され、前記開き溝の後端壁の中には回転装置が設置され、前記回転装置はそれぞれ両側の前記回転ロッドと動力が伝達できるように連結され、前記洗浄ロッドの後端面には洗浄綿が固定的に設置され、左右両側の前記開き溝の上側にはスライド溝により水チャンバが連通するように設置され、前記スライド溝の右端が外部空間に連通しており、前記スライド溝と二つの前記開き溝との間及び前記スライド溝と前記水チャンバとの間にはそれぞれ十八個の水溝が連通するように設置され、前記スライド溝の中にはスライドロッドがスライドできるように設置され、前記スライドロッドには前記水溝と連通できる十八個の連通溝が設置され、前記スライドロッドの左端と前記スライド溝の内壁との間にはねじりばねが固定的に設置され、前記水チャンバの左端壁の中には前記水チャンバを密封できる密封栓がスライドできるように設置され、前記メガネの左右両端には連結ブロックが固定的に設置され、前記連結ブロックの中には空き溝が設置され、前記空き溝の中には回転軸により回転ブロックが回転できるように設置され、前記回転ブロックと前記空き溝との間には回転ばねが固定的に設置され、前記回転ブロックの中には風口が設置され、前記風口の中にはフィルターが固定的に設置され、前記空き溝の後端壁の中には外部空間に連通している風チャンバが連通するように設置され、前記回転軸の後端が前記風チャンバの内端壁と回転できるように連結され、前記回転軸の中には前記風口に連通している通しチャンバが設置され、前記風チャンバの中には前記回転装置と動力が伝達できるように連結された固定軸が回転できるように設置され、前記固定軸にはファン羽根が固定的に設置され、前記風チャンバのうち前記メガネに近接している端壁の中には回転溝が連通するように設置され、前記回転溝の中にはギヤ回転軸により前記回転軸と噛み合うことができる二分の一の歯の回転ギヤが回転できるように設置され、前記ギヤ回転軸と前記固定軸との間はベルトにより動力が伝達できるように連結され、前記連結ブロックの後端壁の間にはメガネひもが固定的に設置され、前記水チャンバの中の水を前記洗浄綿に押し出すことができ、前記洗浄綿が回転すればメガネを洗浄でき、前記ファン羽根が生じた風力によりメガネの乾燥を行う。
【０００６】
更の技術プランとしては、前記回転装置は前記開き溝に連通している連通チャンバを含み、右側の前記回転ロッドの後端が前記連通チャンバの中に伸びており、且つ右側の前記回転ロッドの後端には前記連通チャンバの中に回転できるように設置されたスパーギヤが固定的に設置され、前記スパーギヤの左端には噛み合いギヤが噛み合うように連結され、前記噛み合いギヤが左側の前記回転ロッドと固定的に連結され、前記回転ロッドの後端壁の中には駆動装置が設置され、前記駆動装置が左側の前記回転ロッドとスプラインにより連結され、前記洗浄ロッドが同期的に、且つ逆方向へ回転でき、更に前記メガネを洗浄する。
【０００７】
更の技術プランとしては、前記駆動装置は前記連通チャンバに連通している移動チャンバを含み、前記移動チャンバの中には移動ブロックがスライドできるように設置され、前記移動ブロックの前後端と前記移動チャンバとの間にはそれぞれ圧縮ばねが固定的に設置され、前記移動ブロックの中にはモーターが固定的に設置され、前記モーターにはスプライン軸が前後対称的に、且つ動力が伝達できるように連結され、前記移動チャンバの後端壁の中には前記スプライン軸とスプラインにより連結されることができる回転輪が回転できるように設置され、前記回転輪と左右両側の前記固定軸との間はそれぞれタイミングベルトにより動力が伝達できるように連結され、前記スプライン軸の下端が前記噛み合いギヤとスプラインにより連結されることができ、前記移動チャンバの上側と外部空間との間には回し溝が連通するように設置され、前記移動ブロックの上端面には上端が前記回し溝の中に伸びている回しロッドが固定的に設置され、前記回し溝の中の前後端壁には前記回しロッドと磁力により互いに吸引しあう磁石が固定的に設置され、前記移動ブロックが前後に移動し、これにより前記モーターが前記洗浄ロッドを駆動して回転させることにより前記メガネを洗浄し、且つモーターが前記ファン羽根を駆動して回転させることにより風力で前記メガネを乾燥する。
【発明の効果】
【０００８】
本発明の有益効果は：本発明は構成が簡単で、操作が便利であり、メガネの表面の汚れが洗浄綿により洗浄されることができ、且つ洗浄した後に自動的に風で乾かされ、洗浄効率が高く、使用者の視線に影響を与えなく、安全性を向上させる。
【図面の簡単な説明】
【０００９】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の自動洗浄機能を有する安全防護メガネの内部全体構成模式図
【図２】図２は本発明の図１の「Ａ」の拡大構成模式図
【図３】図３は本発明の図１の「Ｂ−Ｂ」方向の構成模式図
【図４】図４は本発明の図３の「Ｃ」の拡大構成模式図
【図５】図５は本発明の図４の「Ｄ−Ｄ」方向の構成模式図
【図６】図６は本発明の図３の「Ｅ」の拡大構成模式図
【発明を実施するための形態】
【００１１】
図１〜６を参照し、本発明の実施例の自動洗浄機能を有する安全防護メガネは、メガネ１０を含み、前記メガネ１０の上端面には固定ブロック１１が固定的に設置され、前記固定ブロック１１の中には左右対称の開き溝１２が設置され、前記開き溝１２の中には回転ロッド１３により洗浄ロッド１４が回転できるように連結され、前記開き溝１２の後端壁の中には回転装置１００が設置され、前記回転装置１００はそれぞれ両側の前記回転ロッド１３と動力が伝達できるように連結され、前記洗浄ロッド１４の後端面には洗浄綿１５が固定的に設置され、左右両側の前記開き溝１２の上側にはスライド溝１８により水チャンバ１６が連通するように設置され、前記スライド溝１８の右端が外部空間に連通しており、前記スライド溝１８と二つの前記開き溝１２との間及び前記スライド溝１８と前記水チャンバ１６との間にはそれぞれ十八個の水溝１７が連通するように設置され、前記スライド溝１８の中にはスライドロッド１９がスライドできるように設置され、前記スライドロッド１９には前記水溝１７と連通できる十八個の連通溝２０が設置され、前記スライドロッド１９の左端と前記スライド溝１８の内壁との間にはねじりばね２１が固定的に設置され、前記水チャンバ１６の左端壁の中には前記水チャンバ１６を密封できる密封栓２２がスライドできるように設置され、前記メガネ１０の左右両端には連結ブロック３６が固定的に設置され、前記連結ブロック３６の中には空き溝３７が設置され、前記空き溝３７の中には回転軸４２により回転ブロック３８が回転できるように設置され、前記回転ブロック３８と前記空き溝３７との間には回転ばね３９が固定的に設置され、前記回転ブロック３８の中には風口４０が設置され、前記風口４０の中にはフィルター４１が固定的に設置され、前記空き溝３７の後端壁の中には外部空間に連通している風チャンバ４６が連通するように設置され、前記回転軸４２の後端が前記風チャンバ４６の内端壁と回転できるように連結され、前記回転軸４２の中には前記風口４０に連通している通しチャンバ４３が設置され、前記風チャンバ４６の中には前記回転装置１００と動力が伝達できるように連結された固定軸４８が回転できるように設置され、前記固定軸４８にはファン羽根４７が固定的に設置され、前記風チャンバ４６のうち前記メガネ１０に近接している端壁の中には回転溝４４が連通するように設置され、前記回転溝４４の中にはギヤ回転軸４９により前記回転軸４２と噛み合うことができる二分の一の歯の回転ギヤ４５が回転できるように設置され、前記ギヤ回転軸４９と前記固定軸４８との間はベルト５０により動力が伝達できるように連結され、前記連結ブロック３６の後端壁の間にはメガネひも５１が固定的に設置され、前記水チャンバ１６の中の水を前記洗浄綿１５に押し出すことができ、前記洗浄綿１５が回転すればメガネを洗浄でき、前記ファン羽根４７が生じた風力によりメガネの乾燥を行う。    
【００１２】
有益的には、前記回転装置１００は前記開き溝１２に連通している連通チャンバ２３を含み、右側の前記回転ロッド１３の後端が前記連通チャンバ２３の中に伸びており、且つ右側の前記回転ロッド１３の後端には前記連通チャンバ２３の中に回転できるように設置されたスパーギヤ２４が固定的に設置され、前記スパーギヤ２４の左端には噛み合いギヤ２５が噛み合うように連結され、前記噛み合いギヤ２５が左側の前記回転ロッド１３と固定的に連結され、前記回転ロッド１３の後端壁の中には駆動装置２００が設置され、前記駆動装置２００が左側の前記回転ロッド１３とスプラインにより連結され、前記洗浄ロッド１４が同期的に、且つ逆方向へ回転でき、更に前記メガネ１０を洗浄する。  
【００１３】
有益的には、前記駆動装置２００は前記連通チャンバ２３に連通している移動チャンバ２６を含み、前記移動チャンバ２６の中には移動ブロック２７がスライドできるように設置され、前記移動ブロック２７の前後端と前記移動チャンバ２６との間にはそれぞれ圧縮ばね３０が固定的に設置され、前記移動ブロック２７の中にはモーター２８が固定的に設置され、前記モーター２８にはスプライン軸２９が前後対称的に、且つ動力が伝達できるように連結され、前記移動チャンバ２６の後端壁の中には前記スプライン軸２９とスプラインにより連結されることができる回転輪３４が回転できるように設置され、前記回転輪３４と左右両側の前記固定軸４８との間はそれぞれタイミングベルト３５により動力が伝達できるように連結され、前記スプライン軸２９の下端が前記噛み合いギヤ２５とスプラインにより連結されることができ、前記移動チャンバ２６の上側と外部空間との間には回し溝３１が連通するように設置され、前記移動ブロック２７の上端面には上端が前記回し溝３１の中に伸びている回しロッド３２が固定的に設置され、前記回し溝３１の中の前後端壁には前記回しロッド３２と磁力により互いに吸引しあう磁石３３が固定的に設置され、前記移動ブロック２７が前後に移動し、これにより前記モーター２８が前記洗浄ロッド１４を駆動して回転させることにより前記メガネ１０を洗浄し、且つモーター２８が前記ファン羽根４７を駆動して回転させることにより風力で前記メガネ１０を乾燥する。
【００１４】
初期状態において、スプライン軸２９はいずれも回転ロッド１３と回転輪１４と連結されていなく、洗浄ロッド１４が開き溝１２の中に位置している。
【００１５】
装置が作動する時、メガネ１０を顔の前方にかけ、メガネひも５１が頭の後側に貼り付き、安全防護作用を果たし、メガネ１０の表面に汚れが付いて視線に影響を与える時、スライドロッド１９を左方へ押し、通し溝２０と水溝１７とを連通し、これにより水チャンバ１６の中の水が開き溝１２の中に入って洗浄綿１５を濡らし、スライドロッド１９を放して水チャンバ１６を再び密封し、そして、回しロッド３２を前方へ回して移動ブロック２７を前方へ移動させ、これにより前側のスプライン軸２９と左側の回転ロッド１３とがスプラインにより連結され、この時、回しロッド３２が前側の磁石３３と磁性により接続され、これによりモーター２８が作動して噛み合いギヤ２５とスパーギヤ２４とを駆動して互いに逆方向へ向かって九十度往復回転させ、これにより洗浄ロッド１４も往復回転し、洗浄綿１５によりメガネ１０の表面を洗浄し、洗浄し終わった後、回しロッド３２を後方へ回し、これにより後側のスプライン軸２９と回転輪３４とが連結され、タイミングベルト３５によりモーター２８がファン羽根４７を駆動して回転させ、風力が生じて風口４０によりメガネ１０の表面を吹いて乾燥し、ファン羽根４７が回転する過程の中で、ベルト５０により回転ギヤ４５を回転させ、回転ギヤ４５と回転軸４２とが噛み合う時、回転ブロック３８も回転し、回転ギヤ４５が回転軸４２との噛み合いから離脱する時、回転ブロック３８が回転ばね３９の作用のもとで逆方向へ回転し、これにより回転ブロック３８が往復して揺れ動いて風口４０によりメガネ１０の表面を吹いて乾燥する。
【００１６】
本発明の有益効果は：本発明は構成が簡単で、操作が便利であり、メガネの表面の汚れが洗浄綿により洗浄されることができ、且つ洗浄した後に自動的に風で乾かされ、洗浄効率が高く、使用者の視線に影響を与えなく、安全性を向上させる。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020181180.tif 000003
【図２】
2020181180.tif 000004
【図３】
2020181180.tif 000005
【図４】
2020181180.tif 000006
【図５】
2020181180.tif 000007
【図６】
2020181180.tif 000008
【手続補正書】
【提出日】令和1年8月11日(2019.8.11)
【手続補正１】
【補正対象書類名】特許請求の範囲
【補正対象項目名】全文
【補正方法】変更
【補正の内容】
【特許請求の範囲】
【請求項１】
正面視で、メガネを含み、前記メガネの上端面には固定ブロックが固定的に設置され、前記固定ブロックの中には左右対称の開き溝が設置され、前記開き溝の中には回転ロッドにより洗浄ロッドが回転できるように連結され、前記開き溝の後端壁の中には回転装置が設置され、前記回転装置はそれぞれ両側の前記回転ロッドと動力が伝達できるように連結され、前記洗浄ロッドの後端面には洗浄綿が固定的に設置され、左右両側の前記開き溝の上側にはスライド溝により水チャンバが連通するように設置され、前記スライド溝の右端が外部空間に連通しており、前記スライド溝と二つの前記開き溝との間及び前記スライド溝と前記水チャンバとの間にはそれぞれ十八個の水溝が連通するように設置され、前記スライド溝の中にはスライドロッドがスライドできるように設置され、前記スライドロッドには前記水溝と連通できる十八個の連通溝が設置され、前記スライドロッドの左端と前記スライド溝の内壁との間にはねじりばねが固定的に設置され、前記水チャンバの左端壁の中には前記水チャンバを密封できる密封栓がスライドできるように設置され、前記メガネの左右両端には連結ブロックが固定的に設置され、前記連結ブロックの中には空き溝が設置され、前記空き溝の中には回転軸により回転ブロックが回転できるように設置され、前記回転ブロックと前記空き溝との間には回転ばねが固定的に設置され、前記回転ブロックの中には風口が設置され、前記風口の中にはフィルターが固定的に設置され、前記空き溝の後端壁の中には外部空間に連通している風チャンバが連通するように設置され、前記回転軸の後端が前記風チャンバの内端壁と回転できるように連結され、前記回転軸の中には前記風口に連通している通しチャンバが設置され、前記風チャンバの中には前記回転装置と動力が伝達できるように連結された固定軸が回転できるように設置され、前記固定軸にはファン羽根が固定的に設置され、前記風チャンバのうち前記メガネに近接している端壁の中には回転溝が連通するように設置され、前記回転溝の中にはギヤ回転軸により前記回転軸と噛み合うことができる二分の一の歯の回転ギヤが回転できるように設置され、前記ギヤ回転軸と前記固定軸との間はベルトにより動力が伝達できるように連結され、前記連結ブロックの後端壁の間にはメガネひもが固定的に設置され、前記スライドロッドをスライドさせることで前記水チャンバの中の水を前記洗浄綿に押し出すことができ、前記回転装置が前記洗浄綿を回転させればメガネを洗浄でき、前記回転装置が前記ファン羽根を回転させれば生じた風力によりメガネの乾燥を行うことを特徴とする自動洗浄機能を有する安全防護メガネ。
【請求項２】
前記回転装置は前記開き溝に連通している連通チャンバを含み、右側の前記回転ロッドの後端が前記連通チャンバの中に伸びており、且つ右側の前記回転ロッドの後端には前記連通チャンバの中に回転できるように設置されたスパーギヤが固定的に設置され、前記スパーギヤの左端には噛み合いギヤが噛み合うように連結され、前記噛み合いギヤが左側の前記回転ロッドと固定的に連結され、左側の前記回転ロッドの後端壁の中には駆動装置が設置され、前記駆動装置が左側の前記回転ロッドとスプラインにより連結され、前記洗浄ロッドが同期的に、且つ逆方向へ回転でき、更に前記メガネを洗浄することを特徴とする請求項１に記載の自動洗浄機能を有する安全防護メガネ。
【請求項３】
前記駆動装置は前記連通チャンバに連通している移動チャンバを含み、前記移動チャンバの中には移動ブロックがスライドできるように設置され、前記移動ブロックの前後端と前記移動チャンバとの間にはそれぞれ圧縮ばねが固定的に設置され、前記移動ブロックの中にはモーターが固定的に設置され、前記モーターにはスプライン軸が前後対称的に、且つ動力が伝達できるように連結され、前記移動チャンバの後端壁の中には前記スプライン軸とスプラインにより連結されることができる回転輪が回転できるように設置され、前記回転輪と左右両側の前記固定軸との間はそれぞれタイミングベルトにより動力が伝達できるように連結され、前記スプライン軸の前端が前記噛み合いギヤとスプラインにより連結されることができ、前記移動チャンバの上側と外部空間との間には弾き動かし溝が連通するように設置され、前記移動ブロックの上端面には上端が前記弾き動かし溝の中に伸びている弾き動かしロッドが固定的に設置され、前記弾き動かし溝の中の前後端壁には前記弾き動かしロッドと磁力により互いに吸引しあう磁石が固定的に設置され、前記移動ブロックを前後に移動させることで、前記モーターが前記洗浄ロッドを駆動して回転させることにより前記メガネを洗浄し、前記移動ブロックを後方に移動させることで、モーターが前記ファン羽根を駆動して回転させることにより風力で前記メガネを乾燥することを特徴とする請求項２に記載の自動洗浄機能を有する安全防護メガネ。
【手続補正２】
【補正対象書類名】明細書
【補正対象項目名】全文
【補正方法】変更
【補正の内容】
【発明の詳細な説明】
【技術分野】
【０００１】
本発明は労働保護用品技術分野を取り上げて、具体的には自動洗浄機能を有する安全防護メガネである。
【背景技術】
【０００２】
現在の安全防護メガネは目を保護する安全作用しか有しなく、メガネの表面に汚れや他の物がついて視線を遮る時、又は目を曇らせる時、不安全な事故を起こす可能性があり、一般的に使用者はメガネの表面を直接に擦り洗って又はメガネを取り外して洗浄を行い、このような方法は操作が不便であり、きれいに擦り洗えないことだけではなく、水とふきんなどの補助道具が必要であり、擦り洗った後に水滴が残り、短時間のうちに使用に影響を与え、時間も力もかなりかかる。
そのため、従来技術における安全防護メガネを更に改善する必要があり、これによりメガネの洗浄効率を向上させる。
【先行技術文献】
【特許文献】
【０００３】
【特許文献１】中国特許出願公開第１０３００６３７５号明細書
【発明の概要】
【発明が解決しようとする課題】
【０００４】
本発明は自動洗浄機能を有する安全防護メガネを提供し、従来技術における上記欠点を解消することを目的とする。
【課題を解決するための手段】
【０００５】
本発明の自動洗浄機能を有する安全防護メガネは、メガネを含み、前記メガネの上端面には固定ブロックが固定的に設置され、前記固定ブロックの中には左右対称の開き溝が設置され、前記開き溝の中には回転ロッドにより洗浄ロッドが回転できるように連結され、前記開き溝の後端壁の中には回転装置が設置され、前記回転装置はそれぞれ両側の前記回転ロッドと動力が伝達できるように連結され、前記洗浄ロッドの後端面には洗浄綿が固定的に設置され、左右両側の前記開き溝の上側にはスライド溝により水チャンバが連通するように設置され、前記スライド溝の右端が外部空間に連通しており、前記スライド溝と二つの前記開き溝との間及び前記スライド溝と前記水チャンバとの間にはそれぞれ十八個の水溝が連通するように設置され、前記スライド溝の中にはスライドロッドがスライドできるように設置され、前記スライドロッドには前記水溝と連通できる十八個の連通溝が設置され、前記スライドロッドの左端と前記スライド溝の内壁との間にはねじりばねが固定的に設置され、前記水チャンバの左端壁の中には前記水チャンバを密封できる密封栓がスライドできるように設置され、前記メガネの左右両端には連結ブロックが固定的に設置され、前記連結ブロックの中には空き溝が設置され、前記空き溝の中には回転軸により回転ブロックが回転できるように設置され、前記回転ブロックと前記空き溝との間には回転ばねが固定的に設置され、前記回転ブロックの中には風口が設置され、前記風口の中にはフィルターが固定的に設置され、前記空き溝の後端壁の中には外部空間に連通している風チャンバが連通するように設置され、前記回転軸の後端が前記風チャンバの内端壁と回転できるように連結され、前記回転軸の中には前記風口に連通している通しチャンバが設置され、前記風チャンバの中には前記回転装置と動力が伝達できるように連結された固定軸が回転できるように設置され、前記固定軸にはファン羽根が固定的に設置され、前記風チャンバのうち前記メガネに近接している端壁の中には回転溝が連通するように設置され、前記回転溝の中にはギヤ回転軸により前記回転軸と噛み合うことができる二分の一の歯の回転ギヤが回転できるように設置され、前記ギヤ回転軸と前記固定軸との間はベルトにより動力が伝達できるように連結され、前記連結ブロックの後端壁の間にはメガネひもが固定的に設置され、前記スライドロッドをスライドさせることで前記水チャンバの中の水を前記洗浄綿に押し出すことができ、前記回転装置が前記洗浄綿を回転させればメガネを洗浄でき、前記回転装置が前記ファン羽根を回転させれば生じた風力によりメガネの乾燥を行う。
【０００６】
更の技術プランとしては、前記回転装置は前記開き溝に連通している連通チャンバを含み、右側の前記回転ロッドの後端が前記連通チャンバの中に伸びており、且つ右側の前記回転ロッドの後端には前記連通チャンバの中に回転できるように設置されたスパーギヤが固定的に設置され、前記スパーギヤの左端には噛み合いギヤが噛み合うように連結され、前記噛み合いギヤが左側の前記回転ロッドと固定的に連結され、左側の前記回転ロッドの後端壁の中には駆動装置が設置され、前記駆動装置が左側の前記回転ロッドとスプラインにより連結され、前記洗浄ロッドが同期的に、且つ逆方向へ回転でき、更に前記メガネを洗浄する。
【０００７】
更の技術プランとしては、前記駆動装置は前記連通チャンバに連通している移動チャンバを含み、前記移動チャンバの中には移動ブロックがスライドできるように設置され、前記移動ブロックの前後端と前記移動チャンバとの間にはそれぞれ圧縮ばねが固定的に設置され、前記移動ブロックの中にはモーターが固定的に設置され、前記モーターにはスプライン軸が前後対称的に、且つ動力が伝達できるように連結され、前記移動チャンバの後端壁の中には前記スプライン軸とスプラインにより連結されることができる回転輪が回転できるように設置され、前記回転輪と左右両側の前記固定軸との間はそれぞれタイミングベルトにより動力が伝達できるように連結され、前記スプライン軸の前端が前記噛み合いギヤとスプラインにより連結されることができ、前記移動チャンバの上側と外部空間との間には弾き動かし溝が連通するように設置され、前記移動ブロックの上端面には上端が前記弾き動かし溝の中に伸びている弾き動かしロッドが固定的に設置され、前記弾き動かし溝の中の前後端壁には前記弾き動かしロッドと磁力により互いに吸引しあう磁石が固定的に設置され、前記移動ブロックを前後に移動させることで、前記モーターが前記洗浄ロッドを駆動して回転させることにより前記メガネを洗浄し、前記移動ブロックを後方に移動させることで、モーターが前記ファン羽根を駆動して回転させることにより風力で前記メガネを乾燥する。
【発明の効果】
【０００８】
本発明の有益効果は：本発明は構成が簡単で、操作が便利であり、メガネの表面の汚れが洗浄綿により洗浄されることができ、且つ洗浄した後に自動的に風で乾かされ、洗浄効率が高く、使用者の視線に影響を与えなく、安全性を向上させる。
【図面の簡単な説明】
【０００９】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の自動洗浄機能を有する安全防護メガネの内部全体構成模式図
【図２】図２は本発明の図１の「Ａ」の拡大構成模式図
【図３】図３は本発明の図１の「Ｂ−Ｂ」方向の構成模式図
【図４】図４は本発明の図３の「Ｃ」の拡大構成模式図
【図５】図５は本発明の図４の「Ｄ−Ｄ」方向の構成模式図
【図６】図６は本発明の図３の「Ｅ」の拡大構成模式図
【発明を実施するための形態】
【００１１】
図１〜６を参照し、本発明の実施例の自動洗浄機能を有する安全防護メガネは、メガネ１０を含み、前記メガネ１０の上端面には固定ブロック１１が固定的に設置され、前記固定ブロック１１の中には左右対称の開き溝１２が設置され、前記開き溝１２の中には回転ロッド１３により洗浄ロッド１４が回転できるように連結され、前記開き溝１２の後端壁の中には回転装置１００が設置され、前記回転装置１００はそれぞれ両側の前記回転ロッド１３と動力が伝達できるように連結され、前記洗浄ロッド１４の後端面には洗浄綿１５が固定的に設置され、左右両側の前記開き溝１２の上側にはスライド溝１８により水チャンバ１６が連通するように設置され、前記スライド溝１８の右端が外部空間に連通しており、前記スライド溝１８と二つの前記開き溝１２との間及び前記スライド溝１８と前記水チャンバ１６との間にはそれぞれ十八個の水溝１７が連通するように設置され、前記スライド溝１８の中にはスライドロッド１９がスライドできるように設置され、前記スライドロッド１９には前記水溝１７と連通できる十八個の連通溝２０が設置され、前記スライドロッド１９の左端と前記スライド溝１８の内壁との間にはねじりばね２１が固定的に設置され、前記水チャンバ１６の左端壁の中には前記水チャンバ１６を密封できる密封栓２２がスライドできるように設置され、前記メガネ１０の左右両端には連結ブロック３６が固定的に設置され、前記連結ブロック３６の中には空き溝３７が設置され、前記空き溝３７の中には回転軸４２により回転ブロック３８が回転できるように設置され、前記回転ブロック３８と前記空き溝３７との間には回転ばね３９が固定的に設置され、前記回転ブロック３８の中には風口４０が設置され、前記風口４０の中にはフィルター４１が固定的に設置され、前記空き溝３７の後端壁の中には外部空間に連通している風チャンバ４６が連通するように設置され、前記回転軸４２の後端が前記風チャンバ４６の内端壁と回転できるように連結され、前記回転軸４２の中には前記風口４０に連通している通しチャンバ４３が設置され、前記風チャンバ４６の中には前記回転装置１００と動力が伝達できるように連結された固定軸４８が回転できるように設置され、前記固定軸４８にはファン羽根４７が固定的に設置され、前記風チャンバ４６のうち前記メガネ１０に近接している端壁の中には回転溝４４が連通するように設置され、前記回転溝４４の中にはギヤ回転軸４９により前記回転軸４２と噛み合うことができる二分の一の歯の回転ギヤ４５が回転できるように設置され、前記ギヤ回転軸４９と前記固定軸４８との間はベルト５０により動力が伝達できるように連結され、前記連結ブロック３６の後端壁の間にはメガネひも５１が固定的に設置され、前記スライドロッド１９をスライドさせることで前記水チャンバ１６の中の水を前記洗浄綿１５に押し出すことができ、前記回転装置１００が前記洗浄綿１５を回転させればメガネを洗浄でき、前記回転装置１００が前記ファン羽根４７を回転させれば生じた風力によりメガネの乾燥を行う。    
【００１２】
有益的には、前記回転装置１００は前記開き溝１２に連通している連通チャンバ２３を含み、右側の前記回転ロッド１３の後端が前記連通チャンバ２３の中に伸びており、且つ右側の前記回転ロッド１３の後端には前記連通チャンバ２３の中に回転できるように設置されたスパーギヤ２４が固定的に設置され、前記スパーギヤ２４の左端には噛み合いギヤ２５が噛み合うように連結され、前記噛み合いギヤ２５が左側の前記回転ロッド１３と固定的に連結され、左側の前記回転ロッド１３の後端壁の中には駆動装置２００が設置され、前記駆動装置２００が左側の前記回転ロッド１３とスプラインにより連結され、前記洗浄ロッド１４が同期的に、且つ逆方向へ回転でき、更に前記メガネ１０を洗浄する。  
【００１３】
有益的には、前記駆動装置２００は前記連通チャンバ２３に連通している移動チャンバ２６を含み、前記移動チャンバ２６の中には移動ブロック２７がスライドできるように設置され、前記移動ブロック２７の前後端と前記移動チャンバ２６との間にはそれぞれ圧縮ばね３０が固定的に設置され、前記移動ブロック２７の中にはモーター２８が固定的に設置され、前記モーター２８にはスプライン軸２９が前後対称的に、且つ動力が伝達できるように連結され、前記移動チャンバ２６の後端壁の中には前記スプライン軸２９とスプラインにより連結されることができる回転輪３４が回転できるように設置され、前記回転輪３４と左右両側の前記固定軸４８との間はそれぞれタイミングベルト３５により動力が伝達できるように連結され、前記スプライン軸２９の前端が前記噛み合いギヤ２５とスプラインにより連結されることができ、前記移動チャンバ２６の上側と外部空間との間には弾き動かし溝３１が連通するように設置され、前記移動ブロック２７の上端面には上端が前記弾き動かし溝３１の中に伸びている弾き動かしロッド３２が固定的に設置され、前記弾き動かし溝３１の中の前後端壁には前記弾き動かしロッド３２と磁力により互いに吸引しあう磁石３３が固定的に設置され、前記移動ブロック２７を前後に移動させることで、前記モーター２８が前記洗浄ロッド１４を駆動して回転させることにより前記メガネ１０を洗浄し、前記移動ブロック２７を後方に移動させることで、モーター２８が前記ファン羽根４７を駆動して回転させることにより風力で前記メガネ１０を乾燥する。
【００１４】
初期状態において、スプライン軸２９はいずれも回転ロッド１３と回転輪３４と連結されていなく、洗浄ロッド１４が開き溝１２の中に位置している。
【００１５】
装置が作動する時、メガネ１０を顔の前方にかけ、メガネひも５１が頭の後側に貼り付き、安全防護作用を果たし、メガネ１０の表面に汚れが付いて視線に影響を与える時、スライドロッド１９を左方へ押し、通し溝２０と水溝１７とを連通し、これにより水チャンバ１６の中の水が開き溝１２の中に入って洗浄綿１５を濡らし、スライドロッド１９を放して水チャンバ１６を再び密封し、そして、弾き動かしロッド３２を前方へ回して移動ブロック２７を前方へ移動させ、これにより前側のスプライン軸２９と左側の回転ロッド１３とがスプラインにより連結され、この時、弾き動かしロッド３２が前側の磁石３３と磁性により接続され、これによりモーター２８が作動して噛み合いギヤ２５とスパーギヤ２４とを駆動して互いに逆方向へ向かって九十度往復回転させ、これにより洗浄ロッド１４も往復回転し、洗浄綿１５によりメガネ１０の表面を洗浄し、洗浄し終わった後、弾き動かしロッド３２を後方へ回し、これにより後側のスプライン軸２９と回転輪３４とが連結され、タイミングベルト３５によりモーター２８がファン羽根４７を駆動して回転させ、風力が生じて風口４０によりメガネ１０の表面を吹いて乾燥し、ファン羽根４７が回転する過程の中で、ベルト５０により回転ギヤ４５を回転させ、回転ギヤ４５と回転軸４２とが噛み合う時、回転ブロック３８も回転し、回転ギヤ４５が回転軸４２との噛み合いから離脱する時、回転ブロック３８が回転ばね３９の作用のもとで逆方向へ回転し、これにより回転ブロック３８が往復して揺れ動いて風口４０によりメガネ１０の表面を吹いて乾燥する。
【００１６】
本発明の有益効果は：本発明は構成が簡単で、操作が便利であり、メガネの表面の汚れが洗浄綿により洗浄されることができ、且つ洗浄した後に自動的に風で乾かされ、洗浄効率が高く、使用者の視線に影響を与えなく、安全性を向上させる。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。